(57)【要約】【課題】本発明は、実装性を向上させることができる抵抗器を提供することを目的とするものである。【解決手段】本発明の抵抗器は、第１〜第４の側壁１１ａ〜１１ｄおよび底面を有する略直方体のケース１１と、前記第１の側壁１１ａに上面から切り込んで形成された有底の溝からなる２つの切欠部１２と、前記ケース１１内に充填された絶縁材と、この絶縁材に埋設された抵抗体１４と、前記ケース１１内において前記抵抗体１４の両端部１４ａに接続され、かつその一端部１５ａが前記２つの切欠部１２から前記ケース１１の外側にそれぞれ引き出された一対の端子１５とを備え、前記第１の側壁１１ａの一部に外方に突出する膨出部１６を形成するとともに、この膨出部１６の下面と前記一対の端子１５の下面とが面一となるように構成したものである。【選択図】図１
2010177312.tif 000002
【特許請求の範囲】
【請求項１】
第１〜第４の側壁および底面を有し、かつ上面が開口した略直方体のケースと、このケースにおける第１の側壁に上面から切り込んで形成された有底の溝からなる２つの切欠部と、前記ケース内に充填された絶縁材と、この絶縁材に埋設された抵抗体と、前記ケース内において前記抵抗体の両端部に接続され、かつその一端部が前記２つの切欠部から前記ケースの外側にそれぞれ引き出された一対の端子とを備え、前記第１の側壁の一部に外方に突出する膨出部を形成するとともに、この膨出部の下面と前記一対の端子の下面とが面一となるように構成した抵抗器。
【請求項２】
膨出部を実装基板に接触させるようにした請求項１記載の抵抗器。
【請求項３】
膨出部の幅を、２つの切欠部間の幅と略同一にした請求項２記載の抵抗器。
【発明の詳細な説明】
【技術分野】
【０００１】
本発明は、デジタル機器、ＡＶ機器、情報通信端末、エアコン、冷蔵庫等の各種電子機器に使用される抵抗器に関するものである。
【背景技術】
【０００２】
従来のこの種の抵抗器は、図５に示すように、４つの側壁のうち１つの側壁１ａに２つの切欠部２を有し、かつ上面１ｂが開口したケース１と、このケース１に充填された絶縁材（図示せず）と、この絶縁材内に埋設され、かつケース１内においてＵ字状に折り曲げられた抵抗体３と、この抵抗体３の両端部に接続され、かつその先端部がケース１の切欠部２からケース１の外部に引き出された一対の端子４とを備え、前記一対の端子４を前記切欠部２に上方からその一部を挿入するようにしていた。
【０００３】
なお、この出願の発明に関する先行技術文献情報としては、例えば、特許文献１が知られている。
【特許文献１】特開２００１−２１７１０１号公報
【発明の開示】
【発明が解決しようとする課題】
【０００４】
上記した従来の抵抗器においては、図６に示すように、１つの側壁１ａには切欠部２しか形成されていないため、一対の端子４をどこまで下方に挿入してよいか分からず、これにより、所定の位置まで一対の端子４が挿入されていないものが発生することになって、一対の端子４の引き出される方向がケース１の長手方向と平行にならない場合等があり、その結果、実装性が悪いという課題を有していた。
【０００５】
本発明は上記従来の課題を解決するもので、実装性を向上させることができる抵抗器を提供することを目的とするものである。
【課題を解決するための手段】
【０００６】
上記目的を達成するために、本発明は以下の構成を有するものである。
【０００７】
本発明の請求項１に記載の発明は、第１〜第４の側壁および底面を有し、かつ上面が開口した略直方体のケースと、このケースにおける第１の側壁に上面から切り込んで形成された有底の溝からなる２つの切欠部と、前記ケース内に充填された絶縁材と、この絶縁材に埋設された抵抗体と、前記ケース内において前記抵抗体の両端部に接続され、かつその一端部が前記２つの切欠部から前記ケースの外側にそれぞれ引き出された一対の端子とを備え、前記第１の側壁の一部に外方に突出する膨出部を形成するとともに、この膨出部の下面と前記一対の端子の下面とが面一となるように構成したもので、この構成によれば、膨出部の下面を確認しながら一対の端子を切欠部に挿入することができるため、所定の位置まで一対の端子を挿入することができ、これにより、一対の端子が引き出される方向をケースの長手方向と平行にすることができるため、実装性を向上させることができるという作用効果が得られるものである。
【０００８】
本発明の請求項２に記載の発明は、特に、膨出部を実装基板に接触させるようにしたもので、この構成によれば、抵抗体で発生した熱を第１の側壁、膨出部を介して実装基板に逃がすことができるため、抵抗体の温度を下げることができるという作用効果が得られるものである。
【０００９】
本発明の請求項３に記載の発明は、特に、膨出部の幅を、２つの切欠部間の幅と略同一にしたもので、この構成によれば、実装基板と接触できる膨出部の面積を広くすることができるため、抵抗体の温度をさらに下げることができるという作用効果が得られるものである。
【発明の効果】
【００１０】
以上のように本発明の抵抗器は、第１の側壁の一部に外方に突出する膨出部を形成するとともに、この膨出部の下面と前記一対の端子の下面とが面一となるように構成しているため、膨出部の下面を確認しながら一対の端子を切欠部に挿入することができ、これにより、所定の位置まで一対の端子を挿入することができるため、一対の端子が引き出される方向をケースの長手方向と平行にすることができるため、一対の端子が引き出される方向をケースの長手方向と平行にすることができ、これにより、実装性を向上させることができるという優れた効果を奏するものである。
【発明を実施するための最良の形態】
【００１１】
以下、本発明の一実施の形態における抵抗器について、図１〜図３を参照しながら説明する。
【００１２】
図１は本発明の一実施の形態における抵抗器の一部切欠上面図、図２は同抵抗器の斜視図、図３は同抵抗器の主要部の側面図である。
【００１３】
本発明の一実施の形態における抵抗器は、図１〜図３に示すように、第１〜第４の側壁１１ａ〜１１ｄおよび底面１１ｅを有し、かつ上面１１ｆが開口した略直方体のケース１１と、このケース１１における第１の側壁１１ａに上面から切り込んで形成された有底の溝からなる２つの切欠部１２と、前記ケース１１内に充填された絶縁材１３と、この絶縁材１３に埋設された抵抗体１４と、前記ケース１１内において前記抵抗体１４の両端部１４ａに接続され、かつその一端部１５ａが前記２つの切欠部１２から前記ケース１１の外側にそれぞれ引き出された一対の端子１５とを備えた構成において、さらに、前記第１の側壁１１ａの一部に外方に突出する膨出部１６を形成するとともに、この膨出部１６の下面１６ａと前記一対の端子１５の下面とが面一となるように構成したものである。
【００１４】
上記構成において、前記ケース１１は、アルミナ、ステアタイト等のセラミックで略直方体に構成されているもので、その上面１１ｆは開口し、さらに、第１の側壁１１ａと、この第１の側壁１１ａの両端部に位置する第２、第３の側壁１１ｂ，１１ｃと、前記第１の側壁１１ａと対向し、かつその両端部に第２、第３の側壁１１ｂ，１１ｃが位置する第４の側壁１１ｄとを有し、そして、この第１〜第４の側壁１１ａ〜１１ｄと底面１１ｅに囲まれた部分の内部に絶縁材１３と抵抗体１４が収容されるようになっている。
【００１５】
また、前記第２の側壁１１ｂ、第３の側壁１１ｃの内壁には、ケース１１と一体的に形成された凸部１７がそれぞれ設けられており、さらに、前記第１の側壁１１ａの２つの切欠部１２間に位置する領域においては、内壁の幅が外壁の幅より狭くなるように第１の側壁１１ｂにおけるこの領域の両端部に欠落部１８が形成されている。なお、前記凸部１７と欠落部１８は必ずしも形成しなくてもよい。
【００１６】
そしてまた、前記第１の側壁１１ａの外側（外壁）においては、外方に突出するように膨出部１６が第１の側壁１１ａと一体的に形成されているもので、この場合、この膨出部１６は、第１の側壁１１ａの全面ではなく、２つの切欠部１２間に位置して、一対の端子１５の下面と同一となる位置よりも上方に形成されているものである。すなわち、第１の側壁１１ａは、一部が外側に膨らんだ形状になっており、そして、この膨らんだ部分が膨出部１６となっている。このような形状にすることにより、ケース１１がセラミックで構成された場合でも、比較的容易に成形できる。
【００１７】
さらに、前記膨出部１６は実装基板に接触させるようにしてもよく、このように前記膨出部１６を実装基板に接触させた場合は、抵抗体１４で発生した熱を第１の側壁１１ａ、膨出部１６を介して実装基板に逃がすことができるため、抵抗体１４の温度を下げることができる。このとき、膨出部１６の外壁の先端部分は、第２の側壁１１ｂの先端部と第３の側壁１１ｃの先端部とを結んだ線と同一面もしくはそれよりも外方に突出させている。また、前記膨出部１６の幅は、２つの切欠部１２間の幅と略同一にしてもよい。この場合、膨出部１６の幅は２つの切欠部１２間の幅より狭くしても構わないが、２つの切欠部１２間の幅と略同一にすれば、実装基板と接触できる膨出部１６の面積を広くすることができるため、抵抗体１４の温度をさらに下げることができる。
【００１８】
さらにまた、前記一対の端子１５は帯状または断面が円形の線状に構成されており、そして、前記抵抗体１４より熱伝導率が高い金属材料で構成され、かつ抵抗体１４の両端部１４ａに接続されている。また、この一対の端子１５の一端部１５ａはケース１１の切欠部１２からケース１１の外部に引き出されている。
【００１９】
そしてまた、前記一対の端子１５は、図４に示すように、切欠部１２に挿入したとき、膨出部１６の下面１６ａと一対の端子１５の下面が面一となるように設けられている。さらに、図４では一対の端子１５の一端部１５ａはそれぞれ２つに分割されているため、４端子となっているが、２端子であっても構わない。なお、図３、図４は、一対の端子１５が引き出される側から見た側面図である。ここで、一対の端子１５の下面とは、引き出された一対の端子１５のうち最も下方に位置する部分を示し、一対の端子１５が４端子の場合は、より下方に位置した側の端子の下面を意味する。また、一対の端子１５が引き出される側から見たときに、膨出部１６の最下部は一定の区間でケース１１の下面と平行な直線状になっており、そして、この膨出部１６の下面１６ａは、この膨出部１６の最下部で直線状になった部分を示す。そしてまた、この直線状になった部分は目視で認識が可能となる。
【００２０】
さらに、前記一対の端子１５の他端部１５ｂの一面は、抵抗体１４の外側、すなわち第２、第３の側壁１１ｂ、１１ｃ側の一面に溶接等により接続されており、そして、前記一対の端子１５の他端部１５ｂの先端は凸部１７に当接させている。
【００２１】
さらにまた、前記ケース１１における第１の側壁１１ａに設けられている２つの切欠部１２は、第１の側壁１１ａに上面から切り込まれた有底の溝であり、この切欠部１２を通して一対の端子１５をケース１１の内部から外部に引き出すようになっている。そして、この切欠部１２の幅は一対の端子１５の径と略同一となっている。これにより、絶縁材１３がケース１１の外部の方向に流出するのを防止することができる。
【００２２】
また、前記絶縁材１３は、ケース１１内に充填して硬化させるセメント等により構成されているもので、抵抗体１４を保護したり、あるいは抵抗体１４で発生した熱を放熱させたりするために設けられているものである。
【００２３】
そしてまた、前記抵抗体１４は、銅、銅ニッケルまたはニッケルクロム等の合金により帯状に構成され、かつ絶縁材１３に埋設されている。そして、この抵抗体１４は、ケース１１内において略１８０度折り返すように略Ｕ字状に折り曲げられており、かつＵ字状部はケース１１における第４の側壁１１ｄに向かって突出するようになっている。なお、この抵抗体１４は、ケース１１内において略Ｍ字状に折り曲げてもよく、さらには、抵抗体１４の中央部を、円柱状の基台に金属線を巻回させたもので形成してもよい。
【００２４】
さらに、前記抵抗体１４の端部１４ａにおいては、端子１５の他端部１５ｂの一面に接続されている部分（以下、接合部１９とする）が、第１の側壁１１ａに形成されている欠落部１８に挿入されている。これにより、絶縁材１３を接合部１９の周囲にも回り込ませることができるため、抵抗体１４で発生した熱をより多く放熱させることができる。なお、欠落部１８の長手方向の寸法Ｌは、接合部１９の長さより長くなっている。
【００２５】
次に、本発明の一実施の形態における抵抗器の製造方法について、図１〜図３を参照しながら説明する。
【００２６】
まず、図１に示すように、第１の側壁１１ａと、この第１の側壁１１ａの両端部に位置する第２、第３の側壁１１ｂ，１１ｃと、前記第１の側壁１１ａと対向し、かつその両端部に第２、第３の側壁１１ｂ，１１ｃが位置する第４の側壁１１ｄと、底面１１ｅとを有し、かつ上面１１ｆが開口したケース１１を用意する。このケース１１には、第２の側壁１１ｂの内壁と第３の側壁１１ｃの内壁にそれぞれ設けられる凸部１７をケース１１と一体的に形成する。さらに、前記第１の側壁１１ａには２つの切欠部１２を形成するとともに、第１の側壁１１ａの２つの切欠部１２間に位置する領域においては、内壁の幅が外壁の幅より狭くなるように第１の側壁１１ａにおける前記領域の両端部に欠落部１８を形成する。また、前記第１の側壁１１ａの一部には外方に突出する膨出部１６を形成する。この場合、膨出部１６の下面１６ａと前記切欠部１２に挿入される一対の端子１５の下面とが面一となるように構成する。
【００２７】
次に、帯状の抵抗体１４の両端部１４ａの一面に、一対の端子１５の他端部１５ｂの一面を溶接等の方法により接合する。
【００２８】
次に、抵抗体１４を略１８０度折り返して略Ｕ字状に折り曲げる。このとき、抵抗体１４の外側に一対の端子１５が位置するようにする。
【００２９】
次に、抵抗体１４をケース１１の上面１１ｆの開口部からケース１１内に収容するとともに、一対の端子１５の一端部１５ａを、ケース１１における第１の側壁１１ａの切欠部１２からケース１１の外部に引き出す。このとき、膨出部１６の下面１６ａを確認しながら、一対の端子１５の一部が切欠部１２の底面に当接するように一対の端子１５を上方から切欠部１２に挿入し、膨出部１６の下面１６ａと一対の端子１５の下面とが面一となるようにする。さらに、前記一対の端子１５は他端部１５ｂを凸部１７に第１の側壁１１ａ側から当接させるとともに、抵抗体１４の先端部１４ａを欠落部１８に挿入する。
【００３０】
最後に、ケース１１の上面１１ｆの開口部からペースト状の絶縁材１３を充填し、そしてこの絶縁材１３を所定温度で硬化させることにより、抵抗器は製造されるものである。
【００３１】
上記した本発明の一実施の形態における抵抗器においては、第１の側壁１１ａの一部に外方に突出する膨出部１６を形成するとともに、この膨出部１６の下面１６ａと一対の端子１５の下面とが面一となるように構成しているため、膨出部１６の下面１６ａを確認しながら一対の端子１５を切欠部１２に挿入することができ、これにより、所定の位置まで一対の端子１５を挿入することができるため、一対の端子１５が引き出される方向をケース１１の長手方向と平行にすることができ、これにより、実装性を向上させることができるという効果が得られるものである。
【００３２】
すなわち、切欠部１２の底面と一対の端子１５の下面とが同一面でない場合、膨出部１６を形成しなければ、作業者は所定の位置まで一対の端子１５が挿入されているかわからないため、一対の端子１５の引き出される方向がケース１１の長手方向に対して斜めになったり、一対の端子１５の引き出された位置が所定の位置からずれたりすることになり、これにより、実装不良が発生する場合があるからである。
【００３３】
なお、前記膨出部１６を第２、第３の側壁１１ｂ、１１ｃではなく第１の側壁１１ａに設けたのは、一対の端子１５の引き出された方向と異なる側に膨出部１６が存在すれば、２つの面を見ながら一対の端子１５を位置させることになって、その作業が困難となるからである。
【産業上の利用可能性】
【００３４】
本発明に係る抵抗器は、実装性を向上させることができるという効果を有するものであり、特にデジタル機器、ＡＶ機器、情報通信端末、エアコン、冷蔵庫等の各種電子機器に使用される抵抗器等において有用となるものである。
【図面の簡単な説明】
【００３５】
【図１】本発明の一実施の形態における抵抗器の一部切欠上面図
【図２】同抵抗器の斜視図
【図３】同抵抗器に使用されるケースの側面図
【図４】同抵抗器の側面図
【図５】従来の抵抗器の上面図
【図６】同抵抗器に使用されるケースの側面図
【符号の説明】
【００３６】
１１  ケース
１１ａ  第１の側壁
１１ｂ  第２の側壁
１１ｃ  第３の側壁
１１ｄ  第４の側壁
１１ｅ  ケースの底面
１１ｆ  ケースの上面
１２  切欠部
１３  絶縁材
１４  抵抗体
１４ａ  抵抗体の端部
１５  端子
１５ａ  端子の一端部
１６  膨出部
１６ａ  膨出部の下面
【図１】
2010177312.tif 000003
【図２】
2010177312.tif 000004
【図３】
2010177312.tif 000005
【図４】
2010177312.tif 000006
【図５】
2010177312.tif 000007
【図６】
2010177312.tif 000008